(57)【要約】【課題】建築法規の地震に関する要求の遵守を維持することを可能にする、吊り天井におけるグリッド結合を提供する。【解決手段】ＬＥＤ照明を備えたＡＢは、吊り天井の従来の部分が完成した後に、吊り天井において、固定された片持ちされた延長部１０に取り付けることができる。固定された片持ちされた延長部１０を形成するために、好適には延長した部分を提供するように修正された第２のクロスビームコネクタ２２のみが、第２のクロスビーム２７が取り付けられずに、結合部に差し込まれる。固定された片持ちされた延長部１０は、従来の吊り天井が取り付けられた後、支持のために、延長部１０に、ＬＥＤ照明を備えたロール成形されたアルミニウムビーム（ＡＢ）を取り付けることができる。ＬＥＤ照明を備えたＡＢの取付けは、本発明の支持装置を備えた吊り天井の組立ての後、地震に対する天井耐久性に影響しない。【選択図】図５
2015059420.tif 000002
【特許請求の範囲】
【請求項１】
第１及び第２のクロスビームの端部に固定された向き合った第１及び第２のコネクタの間のコネクタ対コネクタロック手段を備え、前記第１及び第２のコネクタは、メインビームのスロットに、クロスビームによって挿入され、かつ前記スロットを貫通しており、互いに反対方向からメインビームと結合しかつ互いに結合する、吊り天井におけるグリッド結合装置において、改良点が、
第２のコネクタに取り付けられることができるクロスビームが前記第２のコネクタに固定されることなく該第２のコネクタを前記スロットに挿入することによって形成された、メインビームからの、固定された片持ちされた延長部であって、該延長部から、ＬＥＤ照明を備えたアルミニウムビームを支持する、延長部を含むことを特徴とする、吊り天井におけるグリッド結合装置。
【請求項２】
前記固定された片持ちされた延長部を形成した前記第２のコネクタは、該第２のコネクタがより容易に手作業で前記スロットに挿入され、かつ次いでより容易に前記アルミニウムビームに結合されることを可能にする延長した部分を有する、請求項１記載の装置。
【請求項３】
第１及び第２のクロスビームの端部に結合され、メインビームのスロットに、クロスビームによって挿入され、かつ前記スロットを貫通し、互いに反対方向から前記メインビームと結合しかつ互いに結合する、向き合った第１及び第２のコネクタの間のコネクタ対コネクタロック手段を備える、法規要求にしたがって地震に耐える吊り天井グリッド結合装置において、改良点が、
結合が行われる前に、第２のコネクタのみを挿入することによって、メインビームからの固定された片持ちされた延長部であって、該延長部に後でＬＥＤ照明を備えたアルミニウムビームを結合することができかつ前記延長部から前記アルミニウムビームを支持することができる延長部、を形成する方法を含むことを特徴とする、吊り天井のグリッド結合装置。
【請求項４】
前記第２のコネクタは、該第２のコネクタがより容易に手作業で前記スロットに挿入され、かつ次いでより容易に前記アルミニウムビームに結合されることを可能にする延長した部分を有する、請求項３記載の方法。
【請求項５】
（ａ）発明の固定された片持ちされた延長部は、吊り天井を設置することに熟練した労働者によって取り付けられ、次いで、
（ｂ）ＬＥＤ照明を備えたアルミニウムビームが、後で、前記固定された片持ちされた延長部に固定され、電気設備に熟練した労働者の第２のグループによって電力ラインに電気的に接続される、請求項３記載の方法。
【発明の詳細な説明】
【技術分野】
【０００１】
発明の背景
１．発明の分野
吊り天井は、商業用及び工業用建物において広範囲に使用されている。このような天井において、互いに結合されたＴ字形ビームから形成された金属グリッドフレームが、ワイヤによって天井構造から懸吊されている。ビームは、薄板金の連続的なストリップからロール成形されている。
【０００２】
グリッドは、グリッドに形成された矩形の開口においてパネルを支持する。
【０００３】
このような天井は、該当する建築法規にしたがって地震振動に耐えなければならない。
【０００４】
本発明は、発光ダイオード（ＬＥＤ）照明を備えたアルミニウムビーム（ＡＢ）用の、このようなグリッドにおける選択された位置に設けられた支持装置に関する。支持装置は、吊り天井が組み立てられる時点で取り付けられる。照明を備えたアルミニウムビームは、後で取り付けられる。本発明により、吊り天井は、このようなアルミニウムビームを備えない従来の天井のように、ＬＥＤ照明が取り付けられたアルミニウムビームにおいても耐震性を維持する。
【背景技術】
【０００５】
２．従来技術
パネルを支持するグリッドを成すように交差部において互いに結合された、折られた薄板金の逆Ｔ字形ビームを有する吊り天井が、公知である。引用により本明細書に組み込まれる米国特許第７９２６２３８号明細書（’２３８）は、このような天井を示している。
【０００６】
このような従来の天井におけるグリッドは、それぞれのグリッド交差部において、結合部を有する。この結合部は、一対の、向き合った同一の第１及び第２のクロスビームを有し、これらの第１及び第２のクロスビームは、それぞれ第１及び第２のクロスビームコネクタと、メインビームとに結合されている。このような従来の結合部を形成するためには、向き合ったクロスビームの端部に固定された第１及び第２のクロスビームコネクタが、互いにかつメインビームと結合するために、メインビームに設けられたスロットを通って、メインビームの両側から押し込まれる若しくは差し込まれる。
【０００７】
天井グリッドを組み立てるために、グリッド交差部における多くのこのような差込み式結合部が形成されている。
【先行技術文献】
【特許文献】
【０００８】
【特許文献１】米国特許第７９２６２３８号明細書
【発明の概要】
【発明が解決しようとする課題】
【０００９】
したがって、本発明の課題は、天井自体の取付けの後に天井に照明が取り付けられるにもかかわらず、特に建築法規の地震に関する要求の遵守を維持することを可能にする、吊り天井におけるグリッド結合部を提供することである。本発明の片持ちされた支持装置は、このような継続した遵守を可能にする。
【課題を解決するための手段】
【００１０】
発明の簡略な概要
本発明は、発光ダイオード（ＬＥＤ）照明が取り付けられたアルミニウムグリッド（ＡＢ）用の、選択された位置における支持装置を形成するための、グリッド交差部におけるこのような従来の差込み式結合部の使用に関する。
【００１１】
上述の従来の差込み式結合部は、天井グリッドが取り付けられるときに、耐震性に関する要求を含む該当する建築法規にしたがって組み立てられたパネル吊り天井全体にわたる複数の位置において、固定された片持ちされた延長部を選択的に形成するように、修正されている。ＬＥＤ照明を備えたアルミニウムビーム（ＡＢ）は、このような耐震性を含む、吊り天井の一体性を妨げることなく、固定された片持ちされた延長部に後で取り付けられる。
【００１２】
慣用の従来の吊り天井のグリッドにおいて使用されるロール成形された薄板金ビームは、ＬＥＤ照明を支持するのに適していない。
【００１３】
本発明において、向き合った第２のクロスビームの端部における向き合った同一の第２のクロスビームコネクタと結合する第１のクロスビームの端部における第１のクロスビームコネクタによって形成されており、第１及び第２のクロスビームコネクタがメインビームにおけるスロットを通ってメインビームと結合している、上述の従来の差込み式結合部は、修正されている。
【００１４】
いかなるクロスビームも取り付けられていない第２のクロスビームコネクタが、既にスロットに配置された第１のクロスビームの端部における向き合った第１のクロスビームコネクタ、及びメインビームに結合するように、手作業でスロットに挿入される。第２のクロスビームコネクタは、コネクタがコネクタ内により容易に手作業で挿入されることを可能にする延長された部分を提供するように修正されていることが望ましい。
【００１５】
上述のそれぞれの形態において、固定された片持ちされた延長部は、つまり、第２のクロスビームコネクタによって形成されている。第２のクロスビームコネクタは、メインビーム及び、この第２のクロスビームコネクタに取り付けることができる第１のクロスビームから延びている。第２のクロスビームコネクタは、このような固定された片持ちされた延長部が形成された後、ＬＥＤ照明を備えたアルミニウムビームの端部を支持する。
【図面の簡単な説明】
【００１６】
【図１】第１及び第２のクロスビームに取り付けられた同一の第１及び第２のクロスビームコネクタの間の従来の結合部の右側の側面図である。第１及び第２のクロスビームコネクタは、メインビームのスロットを貫通しており、コネクタ対コネクタロック、及びコネクタ対メインビームロックを形成している。
【図１ａ】図１に示された線１ａ−１ａに沿って上方から見た断面図である。
【図２】第２のクロスビームコネクタが修正されていない、本発明の固定された片持ちされた延長部の、図１と同様の右側の側面図である。
【図３】第２のクロスビームコネクタが修正されていない、本発明の固定された片持ちされた延長部に固定されようとしているアルミニウムビーム（ＡＢ）を示す斜視図である。
【図４】支持装置のための、本発明の片持ちされた延長部に固定されたアルミニウムビーム（ＡＢ）を示す、図３と同様の図である。
【図５】本発明の好適な態様の側面図であり、この好適な態様において、修正された第２のクロスビームコネクタは、結合部に挿入されており、この結合部は、第２のコネクタが結合部に、より容易に挿入され、かつアルミニウムビームに、より容易に取り付けられることを可能にする。
【図６】図７に示された線６−６に沿って見た断面図である。
【図７】支持のための修正された第２のクロスビームコネクタに固定されたアルミニウムビーム（ＡＢ）を示す、図５と同様の側面図である。
【発明を実施するための形態】
【００１７】
発明の詳細な説明
’２３８特許は、本発明の基礎となる従来の結合部の代表例である。結合部自体、及びこのような結合部を形成する方法は、’２３８特許に詳細に示されている。
【００１８】
このような結合部は、耐震性に関する要求を含む建築法規に従っている。
【００１９】
本発明の基礎となる従来技術の’２３８結合部は、図１及び図１ａに示されている。断面図で示されたメインビーム２０は、パネルを支持する天井グリッドにおいて長手方向に延びている。同一の第１のクロスビームコネクタ２１及び第２のクロスビームコネクタ２２は、リベット２８によってそれぞれ第１のクロスビーム２６及び第２のクロスビーム２７に取り付けられている。図１の従来の結合部を形成するために、第１及び第２のクロスビームコネクタ２１及び２２は、取り付けられた第１及び第２のクロスビーム２６，２７によって、メインビーム２０のウェブ２５のスロット２３を通って差し込まれ、互いにかつメインビーム２０と結合する。
【００２０】
上述の、図１及び図１ａに示されたこのような従来の結合部においては、以下のことが生ずる。
（１）コネクタ対コネクタ結合部を形成するために、第１のクロスビームコネクタ２１の端部３２が戻り止３３に係合するのと同様に、第２のクロスビームコネクタ２２の端部３０は戻り止３１に係合する；
（２）第１のクロスビームコネクタ２１及び第２のクロスビームコネクタ２２におけるロッキングラッチ４０は、非撓み位置にある；
（３）コネクタ２１及び２２におけるバックストップ３５及び３６は、コネクタ対コネクタロックにおいて端部３０及び３２を固定する；及び
（４）第１及び第２のコネクタ２１及び２２は、従来公知のように、同一の第１のコネクタ２１及び第２のコネクタ２２の横断面構成によってスロット２３内に横方向及び鉛直方向で拘束されたままとなる。
（５）第１のクロスビーム２６及び第２のクロスビーム２７は、メインビーム２０から直角で外方へ延びている。
【００２１】
これまで説明した一般的な構成は、従来技術及び建築法規に従う。
【００２２】
図２に示された本発明の基本的な実施の形態では、第２のクロスビームコネクタ２２は、それ自体が手作業でスロット２３に差し込まれ、これにより、メインビーム２０と、上述のように第１のクロスビーム２６に取り付けられた、向き合った第１のクロスビームコネクタ２１とに係合することにより、結合部を形成する。
【００２３】
その結果、図２に示したように、固定された片持ちされた突出部１０が、メインビーム２０と、第１のクロスビーム２６とに係止される。互いに対向する第１及び第２のコネクタと、メインビームとの結合形式は同じままであるので、天井は、耐震要求を含む建築法規に従ったままである。
【００２４】
このような固定された片持ちされた突出部１０は、ＬＥＤ照明を備えたアルミニウムビーム（ＡＢ）が配置される、吊り天井の矩形のグリッド開口の両側に組み付けられる。アルミニウムビームは、概して、下側フランジ５３及び５４と、上側フィン５２とを備えた、逆Ｔ字形の断面を成すようにロール成形される。
【００２５】
ＬＥＤ照明を備えたアルミニウムビーム５０の端部は、例えば、図４に示したように固定された片持ちされた延長部１０とアルミニウムビーム５０とに設けられた適合したリベット穴５６を貫通するリベット５７によって、固定された片持ちされた突出部１０に取り付けられる。固定された片持ちされた延長部１０は、アルミニウムビーム５０における輪郭づけられた凹部５８に嵌合する。
【００２６】
本発明の好適な実施の形態では、上記のような従来の第２のクロスビームコネクタ２２は、第２のクロスビームコネクタ２２’が手作業で結合部に、より容易に挿入されることを可能にしかつより長い固定された片持ちされた突出部１０’を提供する延長した長さを提供するように、図５、図６及び図７に示したように修正されている。
【００２７】
好適な修正された実施の形態では、第２のクロスビームコネクタ２２’は、６１において第２のクロスビームコネクタ２２を延長させることによって形成されており、これにより、第２のクロスビームコネクタ２２それ自体の面よりも、指６３で掴むためのより大きな面を備えた手掴み部６２を提供している。円形の張出し部６４などの適切な表面構造により、第２のクロスビームコネクタ２２’を、図５に示したように結合部に手作業でより容易に挿入することができ、図５において、指６３が、延長した第２のクロスビームコネクタ２２’の掴み部６２を掴んでいる。
【００２８】
より長い固定された片持ちされた延長部１０’は、アルミニウムビーム５０のためのより安定した支持も提供する。これに代えて、このような修正された固定された片持ちされた延長部２２’は、延長部分を第２のクロスビームコネクタ２２に取り付けることによって２つのセグメントから形成することができる。
【００２９】
本発明は、他の利点の中でも特に、折られた薄板金ビーム２０，２６及び２７を備えた従来の吊り天井を取り付けることに熟練した労働者の第１のグループが、ＬＥＤ照明を備えたアルミニウムビーム５０が後で取り付けられる位置に、取り付けられた固定された片持ちされた突出部１０を備えた吊り天井を、組み立てることを可能にする。吊り天井の初期組立ての間にこれらの位置にはパネルは挿入されないので、固定された片持ちされた延長部１０は露出したままである。
【００３０】
後で、労働者の第２のグループ、好適には、ＬＥＤ照明を備えたアルミニウムビームを取り付けることに熟練した電気作業者は、単に、アルミニウムビーム５０を、労働者の第１のグループによって既に取り付けられている固定された片持ちされた延長部１０に結合し、次いで、電気接続を行う。
【００３１】
ＬＥＤ照明を備えたアルミニウムビーム５０が本発明の固定された片持ちされた延長部１０に固定され、ＬＥＤ照明が電気的に配線されると、このようなアルミニウムビーム５０に隣接した開口は、単に、適切に寸法決めされた天井パネルを、アルミニウムビーム５０のフランジ５３，５４と、アルミニウムビーム５０を包囲する吊り天井の従来のロール成形された薄板金ビームのフランジとに載置することによって閉鎖される。
【００３２】
上述の手順において、本発明は、天井自体の取付けの後に天井に照明が取り付けられるにもかかわらず、天井が、特に建築法規の地震に関する要求の遵守を維持することを可能にする。本発明の片持ちされた支持装置は、このような継続した遵守を可能にする。
【符号の説明】
【００３３】
１０，１０’  突出部、  ２０  メインビーム、  ２１  第１のクロスビームコネクタ、  ２２，２２’  第２のクロスビームコネクタ、  ２３  スロット、  ２５  ウェブ、  ２６  第１のクロスビーム、  ２７  第２のクロスビーム、  ２８  リベット、  ３０，３２  端部、  ３１，３３  戻り止、  ３５，３６  バックストップ、  ４０  ロッキングラッチ、  ５０  アルミニウムビーム（ＡＢ）、  ５２  上側フィン、  ５３，５４  下側フランジ、  ５６  リベット穴、  ５８  凹部、  ６０  フランジ、  ６２  手掴み部、  ６３  指、  ６４  張出し部
【図１】
2015059420.tif 000003
【図１ａ】
2015059420.tif 000004
【図２】
2015059420.tif 000005
【図３】
2015059420.tif 000006
【図４】
2015059420.tif 000007
【図５】
2015059420.tif 000008
【図６】
2015059420.tif 000009
【図７】
2015059420.tif 000010
【外国語明細書】
2015059420.tif 000011
2015059420.tif 000012
2015059420.tif 000013
2015059420.tif 000014
2015059420.tif 000015
2015059420.tif 000016
2015059420.tif 000017
2015059420.tif 000018
2015059420.tif 000019
2015059420.tif 000020
2015059420.tif 000021
2015059420.tif 000022
2015059420.tif 000023
2015059420.tif 000024
2015059420.tif 000025
2015059420.tif 000026
2015059420.tif 000027
2015059420.tif 000028
2015059420.tif 000029